(57)【要約】      （修正有）【課題】着用時でも口が動かしやすく、また、着用者の顎に対して過度な負荷を与えないマスクを提供する。【解決手段】マスク１は、口の前面部分をカバーするシールド２と、シールド２を支持する布製で短冊状の顎当て３と、顎当て３を着用者に連結する装着部材４とを有している。シールド２は、左右端部に夫々複数個の孔２１が設けられ、顎当て本体３０の左右両端の基端部３２と張出し部３１との間に、シールド２の端部を挟み、シールド２の複数の孔２１を通してスナップボタン３６、３７が結合する。基端部同士は、上バンド部３４と下バンド部３５により連結されており、上バンド部３４と下バンド部３５により下顎を挟む。スナップボタン３７の直線上の間隔Ｌ１は、シールド２の孔２１の直線上の間隔Ｌ２よりも短くなっている。【選択図】図１
0003228164.tif 000002
【実用新案登録請求の範囲】
【請求項１】
少なくとも口の前面部分をカバーする板状のシールドと、
前記シールドを支持する布製で短冊状の顎当てと、
前記顎当てを着用者に連結する装着部材とを有し、
前記シールドは、左右端部に夫々複数個の孔が設けられ、
前記顎当ては、顎当て本体と、当該顎当て本体の左右端部に夫々設けられた一対の基端部同士を夫々連結する上バンド部と下バンド部と、前記左右端部の基端部に夫々折り重ねられる一対の張出し部とが設けられ、
前記基端部と張出し部とには、夫々雌雄の関係で結合する複数のスナップボタンが設けられ、
前記顎当て本体の左右両端の前記基端部と対応する張出し部との間に、前記シールドの夫々の端部を挟み、前記シールドの複数の孔を通して前記複数のスナップボタンが結合し、
前記基端部の左右両側の前記スナップボタンの直線上の間隔は、前記シールドの左右両側の前記孔の直線上の間隔よりも短いことを特徴とするマスク。
【請求項２】
請求項１のマスクにおいて、前記顎当て本体と基端部と上バンド部と下バンド部と張出し部とは１枚の布を折り畳み、中央において長さ方向に切り込んで作成されていることを特徴とするマスク。
【考案の詳細な説明】
【技術分野】
【０００１】
本考案はマスクに関し、特に着用時でも口が動かしやすく、呼吸がしやすいマスクに関する。
【背景技術】
【０００２】
ガーゼや不織布からなるマスクは、着用者の口及び鼻部分を直接覆うため、話す際に声がこもりやすく、呼吸がしにくいため長く離すことも苦しい。また、着用者の表情が見えないといった課題を有していた。これに対して、着用者の口元が見えるマスクとして特許文献１や特許文献２に開示されるようなマスクが知られている。
【０００３】
特許文献１に開示されたマスクは、略Ｕ字形状をしたフレームの上縁に嵌着された遮蔽シートと、フレームの両端に掛合された２本のつる部で構成されている。フレームの中央部分には、顔に向けて突出させた当て部が形成され、当て部の下縁より下向きにアゴ当てシートが延設されている。また、特許文献２に開示されたマスクは、口の前面部分を透明部材でカバーするマスクであって、透明部材を支持する支持部材の内側面からスペーサ部が突設され、スペーサ部の先端部分から上向きに顎当て部が延設されている。
【０００４】
口元を見やすく呼吸が容易にできるようにするため、口元を覆う遮蔽シート若しくは透明部材は、湾曲させて顔面から浮かした状態で安定的にその姿勢を維持する必要がある。各特許文献の技術によれば、円弧状のプラスチック等の樹脂製のフレーム若しくは支持部材が用意され、このフレームの湾曲に沿って遮蔽シートを装着することにより、遮蔽シートの姿勢を維持していた。一方で、フレームと顔面との位置関係を安定させるため、当て部若しくは顎当て部がフレームの内側から突出する形態を有している。
【先行技術文献】
【特許文献】
【０００５】
【特許文献１】実用新案登録第３１５９６６８号公報
【特許文献２】実用新案登録第３１８２６８４号公報
【特許文献３】実用新案登録第３１６５６２５号公報
【考案の概要】
【考案が解決しようとする課題】
【０００６】
従来の技術によれば、フレーム若しくは支持部材は湾曲し、かつ顎に当たる形状をある程度の剛性を持って固定されるものであり、装着したときに、顔面との接触面積が限定されるため、長い時間装着すると顔面に跡が付く。また、マスクに外部からの衝撃が加わると、衝撃はその限られた顔面との接触部分にそのまま伝達されるという問題がある。素材が樹脂であるので、汗を吸収できない。また、形状が複雑になるため、洗浄しても隅に汚れが蓄積するという問題がある。
【０００７】
本考案は上記課題に鑑みなされたものであって、着用時でも口が動かしやすく、また、着用者の顎に対して過度な負荷を与えないマスクを提供することを目的としている。
【課題を解決するための手段】
【０００８】
上記目的を達成するために本考案に係るマスクは、少なくとも口の前面部分をカバーする板状のシールドと、
前記シールドを支持する布製で短冊状の顎当てと、
前記顎当てを着用者に連結する装着部材とを有し、
前記シールドは、左右端部に夫々複数個の孔が設けられ、
前記顎当ては、顎当て本体と、当該顎当て本体の左右端部に夫々設けられた一対の基端部同士を夫々連結する上バンド部と下バンド部と、前記左右端部の基端部に夫々折り重ねられる一対の張出し部とが設けられ、
前記基端部と張出し部とには、夫々雌雄の関係で結合する複数のスナップボタンが設けられ、
前記顎当て本体の左右両端の前記基端部と対応する張出し部との間に、前記シールドの夫々の端部を挟み、前記シールドの複数の孔を通して前記複数のスナップボタンが結合し、
前記基端部の左右両側の前記スナップボタンの直線上の間隔は、前記シールドの左右両側の前記孔の直線上の間隔よりも短いことを特徴とする。
【考案の効果】
【０００９】
上記マスクによれば、シールドが顔面からはなれており、息がしやすいため、長時間の話しをしてもつらくならない。また、上バンド部と下バンド部は布であり、その長さの全域に渡って、顔面に押し付けられているため、顔面との接触面積が広く、長い時間の間装着しても顔面に跡が付きにくい。また、マスクに外部からの衝撃が加わっても、衝撃が分散される。また、顎当ての全体が布製であり、そのまま全体を洗浄して汚れを落とすことが出来る。
【図面の簡単な説明】
【００１０】
【図１】マスクを示す図であり、図１Ａは斜視図、図１Ｂはシールドを取り外した状態を示した図、図１Ｃは顎当ての展開図である。
【図２】マスクの使用状態を示した図であり、図２Ａは顎当ての着用状態を示した図、図２Ｂはシールドを取り付けた状態を示した図である。
【考案を実施するための形態】
【００１１】
以下、本実施例に係るマスクを図面に基づいて説明する。
図１はマスクを示す図である。図１Ａにおいて、マスク１は、透明なプラスチック等の板状の樹脂からなるシールド２と、シールド２を支持する顎当て３と、着用者の耳に連結して顎当て３を顔面に装着する装着部材４を具備している。シールド２は、少なくとも口をカバーする面積、若しくは口に加えて鼻の前面部分もカバーする面積を有する薄板であり、図１Ｂに示すように左右の両側の端部２２に夫々複数個ずつ（図の例では２つずつ）孔２１が穿孔されている。シールド２は、平坦なものでも良いし、適当な湾曲癖を付けたものでも良い。顎当て３は、短冊状であり伸縮性の少ない柔軟な布（例えば、ポリエステル等の化学繊維生地や綿等の天然繊維生地あるいは混生生地）でつくられている。使用する布としては、織った布でも織らない布（不織布）でも良い。また、このような布製の顎当て３は、クッション性を持たせるために、布を折り重ねて重ね縫い、又はキルティング生地を用いて所定の厚さをもたせている。
【００１２】
顎当て３は、顎当て本体３０と、顎当て３の長さ方向の両端の折曲げ線３３から張り出した一対の張出し部３１とが具備されている。一対の張出し部３１は、折曲げ線３３の位置で顎当て本体３０側に夫々折曲げられる。顎当て本体３０の左右端部において、張出し部３１が顎当て本体３０に重なる部分（この部分を基端部３２と呼ぶ）には、張出し部３１と顎当て本体３０を相互に結合する雌雄の関係にあるスナップボタン３６、３７が取り付けられている。図においては、張出し部３１側にバネ側のスナップボタン３６が、基端部３２側にゲンコ側のスナップボタン３７が取り付けられている。ゲンコ／バネの関係は逆でも良い。各張出し部３１のスナップボタン３６の位置と個数は、シールド２に設けられた孔２１の個数と位置に対応している。尚、折曲げ線３３は、折り癖等により折り目を付けても良いし、明らかな折り目では無くても良く、単に張出し部３１を折る際の位置を示していると定義される。折曲げ線３３が見た目に明らかな折り目では無い場合には、外観上は張出し部３１と顎当て本体３０とは連続しているように見える。
【００１３】
顎当て３の左右には、さらに装着部材４が取り付けられている。装着部材４の取り付け位置は、折曲げ線３３若しくはその付近が良い。装着部材４は、ゴムバンド、例えば、丸ゴムである。装着部材４は、着用者の耳を取り囲むことにより着用者と顎当て３とを連結する。装着部材４の他の構成としては、後頭部を半周して左右の基端部３２同士を連結する形態でも良い。後頭部を半周するのは、ゴムバンドでも、両面テープで長さを変更できるベルトを利用しても良い。
【００１４】
顎当て本体３０は、さらに一対の基端部３２を夫々が上下で連結する上バンド部３４と下バンド部３５とを有している。本実施例では、顎当て本体３０に対して、その長さ方向に切れ込みＣＬを入れて上下に分割し、切れ込まれた端部をほつれ処理（ほつれ処理部３８として破線により図示）して上バンド部３４と下バンド部３５を形成している。別の布で上バンド部３４と下バンド部３５を作成して、左右の基端部３２の間を連結しても良い。左右両側の基端部３２の間におけるスナップボタン３７の直線上の間隔Ｌ１は、シールド２の両端における孔２１の直線上の間隔Ｌ２に対して短く設定されている（図１Ｂ）。
【００１５】
図１Ｃに顎当て３の一例として、ポリエステル生地を用いて作成される顎当て３の展開図を示した。ローマ数字のＩの形に切り取られたポリエステル生地を長さ方向の一点鎖線ｓにおいて２つ折りし、更に、下側を一点鎖線ｔにおいて、上に折曲げる。これが重なった位置（二点鎖線ｖの位置）に切り込みを入れて切れ込みＣＬを作成する。布の端を処理し、スナップボタン３６、３７を装着することにより、顎当て３が作成される。図において、張出し部３１、基端部３２、上バンド部３４、下バンド部３５に対応する部分に符号が振られている。また、一点鎖線ｕは、山折り線であり、折曲げ線３３に対応する。布端には、適当なほつれ処理を行う。
【００１６】
図１Ａを参照し、顎当て３の両端において、夫々基端部３２と張出し部の間にシールド２の端部２２を挟み、シールド２の孔２１を通して、スナップボタン３６、３７のゲンコとバネとを連結した状態を示している。スナップボタン３７の間隔Ｌ１が孔２１の間隔Ｌ２に対して短い為、上バンド部３４と下バンド部３５は直線状に伸長し、一方で、シールド２は湾曲状に変形する。
【００１７】
図２は、マスク１を着用した場合を示している。図２Ａは顎当て３のみを着用した状態を示している。図２Ａは本来の着用状態では無いが、上バンド部３４と下バンド部３５と下顎Ｐの関係を説明するために示した。上バンド部３４はオトガイに、下バンド部３５はオトガイ下部に夫々当てられて、上バンド部３４と下バンド部３５により下顎Ｐを上下に挟み、装着部材４の張力により下顎Ｐに押し当てられている。装着部材４の張力のみにより、顎当て３が下顎Ｐに固定された状態である。
【００１８】
図２Ｂは、シールド２を取り付けた状態を示している。シールド２が湾曲されて元に戻ろうとする力が上バンド部３４と下バンド部３５は下顎Ｐを保持力に加算される。シールド２の描く湾曲形状や、顔面からの距離は、顎当て３へのスナップボタン３６、３７の取り付け位置と、間隔Ｌ１とＬ２の関係で決まる。
【００１９】
本実施例のマスク１によれば、シールド２が顔面からはなれており、息がしやすいため、長時間の話しをしてもつらくならない。また、上バンド部３４と下バンド部３５は布製であり、その長さの全域に渡って、顔面に押し付けられているため、顔面との接触面積が広く、長い時間の間装着しても顔面に跡が付きにくい。また、マスク１に外部からの衝撃が加わっても、衝撃が分散される。また、顎当て３の全体が布製であり、顎に溜まる汗も吸収できる。そして、そのまま全体を洗浄することにより、汚れを落とすことが出来る。また、シールド２が分割できるため、別途清掃をし、又は、交換することで清潔な状態に保つことが出来る。
【００２０】
学校、予備校などにおいては、口元が見えることよりも、長時間の講話でも疲れないことが必要である。上記実施例においては、シールド２を透明であることとしたが、必ずしも透明で無くとも良い。英語等の発音を教えるときには口元が見えた方が良いが、そのような必要の無い他の科目では、例えば、不透明な板状のシールド２を用いても良い。また、シールド２の材質は、樹脂でなく、紙でもよい。たとえば、表面を透明のフィルムで圧着コーティングして保護するＰＰ加工（Ｐｏｌｙ−Ｐｒｏｐｙｌｅｎｅ加工）した紙等が挙げられる。
【符号の説明】
【００２１】
１     マスク
２     シールド
３     顎当て
４     装着部材
２１     孔
２２     端部
３０     顎当て本体
３１     張出し部
３２     基端部
３３     折曲げ線
３４     上バンド部
３５     下バンド部
３６、３７     スナップボタン
３８     ほつれ処理部
【図１】
0003228164.tif 000003
【図２】
0003228164.tif 000004